(57)【特許請求の範囲】
【請求項１】
衛星放送の受信レベルが所定値以上のことを表示する表示手段を有する衛星放送受信用コンバータであって、前記表示手段は、防水構造のケースの内側に配され前記受信レベルが所定値以上のときに発光する発光手段の光を導光部を介して前記ケースの外側に導光する構造とされた衛星放送受信用コンバータにおいて、
前記導光部は前記ケースを貫通する略柱体とされ、前記導光部の前記ケースより外側部分にはフランジ部が形成され、前記導光部の前記ケースより内側部分の側面には突起部が形成されており、
前記ケースには、前記導光部を嵌入する嵌入孔を設け、前記ケースの内側には前記嵌入孔に連設された所定高の筒状体を設け、該筒状体の端面には勾配部が形成され、
更に、前記ケースの外側の嵌入孔の周囲には、接着剤を保持する溝部が形成されおり、
前記導光部を前記嵌入孔に嵌入し前記導光部を回転することにより、前記突起部が前記勾配部に乗り上げ、前記フランジ部が前記溝部に塗布された接着剤を圧接した状態で前記ケースに前記導光部を固定することが出来るように構成されていること
を特徴とする衛星放送受信用コンバータ。
【請求項２】
前記勾配部は前記導光部を略９０度以内回転させることで前記フランジ部が前記溝部に塗布された接着剤を圧接できるような勾配とされていることを特徴とする請求項１に記載の衛星放送受信用コンバータ。
【発明の詳細な説明】
【０００１】
【産業上の利用分野】
本発明は衛星放送の受信用コンバータに関するものである。
【０００２】
【従来の技術】
衛星放送は地上から放送衛星（Ｂｒｏａｄｃａｓｔｉｎｇ  Ｓａｔｅｌｌｉｔｅ）や通信衛星（Ｃｏｍｍｕｎｉｃａｔｉｏｎｓ  Ｓａｔｅｌｌｉｔｅ）に向けて電波を発射し、衛星から送り出される放送電波を各家庭で受信するようになされている。このような衛星、例えば放送衛星（以下ＢＳという）からの電波は地上放送の電波に比べ非常に弱いため、各家庭で受信する際は高利得の受信アンテナであるパラボラアンテナが用いられている。
【０００３】
パラボラアンテナは例えばおわん形をした反射鏡と、その反射鏡の焦点に設置される１次放射器と、この１次放射器に付加されている受信用のコンバータによって構成されている。
この１次放射器の円錐ホーンは衛星から送出された円偏波の電波を直線偏波の電波に変換してコンバータに出力する。
コンバータは例えばＢＳ放送の場合、円錐ホーンから供給された１２ＧＨｚ帯の電波を増幅すると共に、１ＧＨｚ帯の電波に変換してＢＳチューナに出力するようになされている。
なお、コンバータはパラボラアンテナとして屋外に設置されるため気密性の高い防水構造とされている。
【０００４】
ところで、パラボラアンテナは指向性が鋭いため、きちんと衛星に向けて設置しないと電波を受信することができない。したっがて、所定の受信レべルを確保するため、電波を遮る障害物のない見通しの良い場所に衛星に向けて正しく設置する必要がある。
【０００５】
しかしながら、例えばパラボラアンテナの方向を調整する場合、はるか彼方の衛星を目で確認しながら調整を行うことは不可能である。
そこで、コンバータに受信レベルが所定の値であるかどうかを検出する機能を設け、ユーザーが調整する際、例えばＬＥＤなどによる表示によって所定の受信レベルが確保されているかどうか確認できるようになされているものがある。
【０００６】
図７に上記したような受信レベルを検出する機能及び表示機能を備えたコンバータの表示部の構造をを示す。
この図において３１は例えばアルミダイカスト等で形成されているコンバータのケースであり、後述するＬＥＤ３３を臨むための開口部３２が設けられている。３３はＬＥＤであり、例えば受信レベルが所定の値である場合には点灯するようになされている。３４はケース３１の開口部３２とＬＥＤ３３の間隙部に充填されている例えばゴム系の接着剤である。３５はケース３１の内部に設けられている基板を示し、ＬＥＤ３３がマウントされている。
３６はコンバータのケース３１の外側に設けられている保護カバーであり、３７は保護カバー３６に設けられているＬＥＤカバーである。
【０００７】
このようなコンバータはパラボラアンテナと一体として屋外に設置するため、コンバータのケース３１の内部は気密性の高い防水構造にする必要がある。
このため、ケース３１の開口部３２とＬＥＤ３３との間隙部にゴム系の接着剤３４を充填してケース３１の内部の気密性を保つようにしている。また、保護カバー３６には図示されていないがＬＥＤ３３を臨む開口部を設けられており、この開口部上にＬＥＤ３３を保護するためのＬＥＤカバー３７が溶着等によって取り付けられている。
このようにして、ユーザーは保護カバー３６に取り付けられているＬＥＤカバー３７を介してＬＥＤの表示を見ることにより受信レべルが確認できるようにされている。
【０００８】
【発明が解決しようとする課題】
ところで、上記したようなコンバータは気密性を保つために接着剤３４を開口部３２とＬＥＤ３３の間隙部に充填する作業が必要であり非常に面倒であった。また、ＬＥＤカバー３７を保護カバー３６に例えば溶着等によって固定する加工工程も必要であるなどの問題点もあった。
【０００９】
そこで、このような問題点をやや改善したコンバータの表示部の構造を図８に示す。
この図において、４１は導光管型のＬＥＤカバーを示し、４２はＬＥＤカバー４１の先端部、４３はネジ部をそれぞれ示しており、ネジ部４３にはゴム系の接着剤４５が塗布されている。４４はケース３１に設けられている開口部を示し、開口部４４にはメネジ４７が形成されている。
【００１０】
このような構造とされるコンバータはＬＥＤカバー４１のネジ部４３とケース３１の開口部４４に設けられているメネジ４７と螺着することによって、ＬＥＤカバー４１をケース３１に取り付けるようになされている。
この場合、ＬＥＤカバー４１とケース３１の間隙部はネジ部４３に塗布されている接着剤４５によって塞がれて、ケース３１の内部は気密性が保たれるようになると共に、ケース３１の内部に設けられているＬＥＤ３３の光りがＬＥＤカバー４１の内部を伝わって先端部４２から確認できるようになる。
したがって、図示されていない保護カバーにＬＥＤカバー４１の先端部４２が露出する程度の開口部を設けることでＬＥＤによる受信レベルの確認を行うことができるようになる。
【００１１】
しかしながら、このような構造とされるコンバータは後加工としてケース３１にメネジの加工工程が必要であると共に、ＬＥＤカバー４１を螺着する作業が必要であり工数がかかるといった問題点があった。
【００１２】
本発明はこのような問題点を解決するためになされたもので導光管型のＬＥＤカバーを容易に取り付けることができるコンバータを提供することを目的としている。
【００１３】
【課題を解決するための手段】
前記目的を達成するため、衛星放送の受信レベルが所定値以上のことを表示する表示手段を有する衛星放送受信用コンバータであって、前記表示手段は、防水構造のケースの内側に配され前記受信レベルが所定値以上のときに発光する発光手段の光を導光部を介して前記ケースの外側に導光する構造とされた衛星放送受信用コンバータにおいて、前記導光部は前記ケースを貫通する略柱体とされ、前記導光部の前記ケースより外側部分にはフランジ部が形成され、前記導光部の前記ケースより内側部分の側面には突起部が形成されており、前記ケースには、前記導光部を嵌入する嵌入孔を設け、前記ケースの内側には前記嵌入孔に連設された所定高の筒状体を設け、該筒状体の端面には勾配部が形成され、更に、前記ケースの外側の嵌入孔の周囲には、接着剤を保持する溝部が形成されおり、前記導光部を前記嵌入孔に嵌入し前記導光部を回転することにより、前記突起部が前記勾配部に乗り上げ、前記フランジ部が前記溝部に塗布された接着剤を圧接した状態で前記ケースに前記導光部を固定することが出来るように構成されている。
また、勾配部は導光部を９０度以内回転させることで勾配部と突起部が圧接できるような勾配にする。
【００１４】
【作用】
本発明によれば、導光部を嵌入部に嵌入して回転させることにより導光部に形成されている突起部と嵌入部の底面に形成されている勾配部とが圧接され導光部を容易に取り付けることができるようになる。
【００１５】
【実施例】
以下本発明の実施例について説明する。
図１は本発明の実施例である衛星放送受信用のコンバータを搭載したパラボラアンテナの全体図を示している。
この図において、１は実施例であるコンバータが付加されている１次放射器、２は反射鏡、３は１次放射器１を支えるアーム部を示している。
この図に示すように、１次放射器１は反射鏡２の焦点となる位置に設置され、反射鏡で反射された衛星からの円偏波の電波を、図示されていない１次放射器１に付加されている円錐ホーンで直線偏波の電波に変換してコンバータに出力するようにしている。
【００１６】
コンバータは例えばＢＳ放送の場合、円錐ホーンから供給される１２ＧＨｚ帯の電波を増幅すると共に、１ＧＨｚ帯の電波に変換して、図示されていない例えばＢＳチューナ等に供給している。
なお、コンバータは図１に示すようにパラボラアンテナと一体となって屋外に設置されるため気密性の高い防水構造とされている。
【００１７】
ところで、パラボラアンテナは指向性が鋭いため、きちんと衛星に向けて設置しないと受信することができない。したっがて、所定の受信レべルを確保するため、電波を遮る障害物のない見通しの良い場所に衛星にむけて正しく設置する必要がある。
【００１８】
しかしながら、例えばパラボラアンテナの向きの調整する場合、はるか彼方の衛星を目で確認しながら調整を行うことは不可能であるため、コンバータに受信レベルが所定の値であるかどうかを検出する機能を設け、ユーザーが調整する際に例えばＬＥＤの点灯によって所定の受信レベルが確保されているかどうか確認できるようにされているものがある。
【００１９】
このような機能を備えた本実施例のコンバータが付加されている１次放射器の外観図を図２に示す。
この図において、４は後述する導光管型のＬＥＤカバー１０の先端部を示し、５はコンバータが付加された１次放射器、及び後述するコンバータ１６を保護する例えばプラスチック等で形成された保護カバーであり、１６は本実施例のコンバータを示している。
なお、保護カバー５にはコンバータ１６に設けられている導光管型のＬＥＤカバー１０の先端部４よりＬＥＤの点灯が確認できるように開口部が設けられている。
【００２０】
図３に上記したような１次放射器１に付加されているコンバータ１６の導光管型のＬＥＤカバーの組立斜視図を示す。
この図の（ａ）において、１０は例えばアクリル、ポリカーボネート等で形成された導光管型のＬＥＤカバー（以下ＬＥＤカバーという）を示し、６はナット部、７はフランジ部、８は導光部、９は突起部を示している。
なお、ナット部６、フランジ部７、導光部８及び突起部９は一体成型してＬＥＤカバー１０を形成するようにしてもよい。
【００２１】
１１は例えばアルミダイカストで形成されたコンバータ１６のケース部を示し、図示されていないが内部にコンバータ１６を構成する基板等が設けられている。１２はケース１１に設けられている嵌入部であり、図に示すようにＬＥＤカバー１０が嵌入できるような形状とされている。１３は嵌入部１２のまわりに設けられている溝であり、この溝に沿って、接着剤１４（例えば防水型のシリコン接着剤（商品名ＲＴＢ、信越化学製等））が塗布されている。
【００２２】
このように形成されたＬＥＤカバー１０をケース１１に設けられている嵌入部１２に嵌入し、同図（ｂ）に示すように矢印方向に回転させて、ＬＥＤカバー１０をケース１１に保持・固定するようにしている。
【００２３】
以下、この態様について具体的に説明する。
図４の（ａ）はＬＥＤカバー１０の側面図を示し、同図（ｂ）は図３（ａ）に示す一点鎖線Ｙ−Ｙおける断面図、同図（ｃ）は図３（ａ）に示す一点鎖線Ｘ−Ｘおける断面図を示している。
この図の（ｂ），（ｃ）に示すようにケース１１の底面には勾配面１５が形成されている。
【００２４】
そして、図５（ａ）に示すようにＬＥＤカバー１０をケース１１の嵌入部１２嵌入する。この場合、ＬＥＤカバー１０に設けられている突起部９とケース１１の底面とのギャップはｄ１  となる。
【００２５】
そして、同図（ｂ）に示すようにＬＥＤカバー１０を矢印方向に回転させることによって突起部９はケース１１の底面に設けられている勾配面１５に沿って移動する。すると、ケース１１の底面と突起部９との間に設けられていたギャップｄ１  は勾配面１５によって徐々にギャップｄ２  と狭くなり、さらにＬＥＤカバー１０を回転させることによって突起部９とケース１１の底面の勾配面１５とが圧接されて、導光管型のＬＥＤカバー１０がケース１１に保持・固定される。
なお、勾配面１５はＬＥＤカバー１０を９０度以内で回転させることにより固定できるような勾配が形成されている。
【００２６】
さらに、ケース１１の溝１３に沿って塗布されている接着剤１４によって、ＬＥＤカバー１０のフランジ部７とケース１１が接着され、ケース１１とＬＥＤカバー１０の間隙部がほぼ完全に塞がれる。
これによって、ケース１１とＬＥＤカバー１０はより強固に固定されると共に、ケース１１の内部は気密性が保たれる構造になる。
【００２７】
図６に上記したような構造としたコンバータの断面図を示す。
この図で２０は基板、２１は基板２０にマウントされているＬＥＤを示している。この図に示すようにＬＥＤカバー１０とケース１１は突起部９とケース１１が圧接されて保持・固定されると共に、間隙部は接着剤１４によってほぼ完全に塞がれケース内部は気密性が保たれるようになる。
また、ＬＥＤ２１の光りはＬＥＤカバー１０の導光部８を伝わって保護カバー５の開口部より露出している先端部４からユーザーが確認できるようになる。
【００２８】
【発明の効果】
以上説明したように本発明によれば、導光管部に形成した突起部と嵌入部に形成した勾配部とを圧接して固定するようにしているため、導光管部を容易に取り付けることができる。
また、勾配面の勾配は導光管部の底面の９０度以内の範囲に設けることにより、より容易に導光管部を取り付けることができるようになる。
また、ケースに形成されている勾配面、及び導光管部に形成されている突起部を金型にて形成するようにすれば、後加工による作業を無くすことができ工数を削減することができる。
【図面の簡単な説明】
【図１】本発明の実施例であるコンバータを搭載したパラボラアンテナの全体図である。
【図２】本発明の実施例であるコンバータを搭載した１次放射器を示した図である。
【図３】本発明の実施例であるコンバータの導光管型ＬＥＤカバーの組立斜視図である。
【図４】本発明の実施例であるコンバータの導光管型ＬＥＤカバー部の側面図、及びコンバータの嵌入部の断面図である。
【図５】本発明の実施例であるコンバータの導光管型ＬＥＤカバー部をコンバータの嵌入部に嵌入した時の側面図、及び底面図である。
【図６】本発明の実施例である導光管型ＬＥＤカバー部をコンバータの嵌入部に取り付けた場合の断面図である。
【図７】従来のコンバータの表示部の構造の一例を示した図である。
【図８】従来のＬＥＤカバー部と嵌入部とで構成されるコンバータの表示部の構造の一例を示した図である。
【符号の説明】
１  １次放射器
２  反射部
３  アーム部
４  先端部
５  保護カバー
６  ナット部
７  フランジ部
８  導光部
９  突起部
１０  導光管型ＬＥＤカバー
１１  ケース
１２  嵌入部
１３  溝
１４  接着部
１５  勾配部
１６  コンバータ
【図１】
0003561990.tif 000002
【図２】
0003561990.tif 000003
【図３】
0003561990.tif 000004
【図４】
0003561990.tif 000005
【図５】
0003561990.tif 000006
【図６】
0003561990.tif 000007
【図７】
0003561990.tif 000008
【図８】
0003561990.tif 000009